(57)【要約】【課題】一つのリモコンを用いて複数の映像機器を連携操作することができる技術を提供する。【解決手段】表示装置（１０）に接続される映像機器であって、入出力部（映像音声送信部１０３）と、制御部（１１０）とを備え、上記制御部は、ユーザからの操作入力に起因して、上記表示装置に接続された他の映像機器に対して、当該他の映像機器を制御するための制御情報を送信する。【選択図】図１
2019149716.tif 000002
【特許請求の範囲】
【請求項１】
表示装置に接続される映像機器であって、
入出力部と、制御部とを備え、
上記制御部は、
ユーザからの操作入力に起因して、上記表示装置に接続された他の映像機器に対して、当該他の映像機器を制御するための制御情報を送信する
ことを特徴とする映像機器。
【請求項２】
上記制御情報は、ユーザにより操作される主体を、当該映像機器から上記他の映像機器に移行させるための制御情報である
ことを特徴とする請求項１に記載の映像機器。
【請求項３】
上記制御部は、
上記ユーザの操作が、上記他の映像機器に格納されたコンテンツの閲覧に関する操作である場合に、
上記制御情報として、当該他の映像機器に対して、当該他の映像機器に格納されたコンテンツの閲覧に関する制御情報を送信する
ことを特徴とする請求項１又は２に記載の映像機器。
【請求項４】
上記制御部は、
上記表示装置に対して、表示するコンテンツの取得元を上記他の映像機器に切り換える旨の制御情報を送信することを特徴とする請求項３に記載の映像機器。
【請求項５】
上記制御部は、
上記表示装置より、上記コンテンツの取得元を上記他の映像機器に切り換えた旨の制御情報を受信した場合に、当該映像機器に対する上記ユーザの操作を示す操作信号の受付を停止することを特徴とする請求項４に記載の映像機器。
【請求項６】
上記制御部は、
上記ユーザの操作を示す操作信号に含まれる操作が、当該映像機器において実行することのできない操作である場合に、
上記制御情報として、上記他の映像機器に対して、当該他の映像機器を制御するための制御情報を送信する
ことを特徴とする請求項１から５の何れか一項に記載の映像機器。
【請求項７】
上記制御部は、
上記操作信号に含まれる操作が、当該映像機器において実行することのできない操作である場合に、
上記制御情報として、１又は複数の上記他の映像機器に対して、上記操作信号に含まれる操作が実行可能であるかの問い合わせを送信し、
当該問い合わせに対する１又は複数の上記他の映像機器からの通知に応じて、上記制御情報を送信する上記他の映像機器を選択する
ことを特徴とする請求項６に記載の映像機器。
【請求項８】
上記制御部は、
ユーザからの操作入力に起因して、所定の規格に基づくコマンドを使用して、上記表示装置に接続された他の映像機器に対して、上記制御情報を送信することを特徴とする請求項１から７の何れか一項に記載の映像機器。
【請求項９】
表示装置に接続される映像機器であって、
入出力部と、制御部とを備え、
上記制御部は、
ユーザからの操作入力に起因して、上記表示装置に内蔵された録画再生部に対して、当該録画再生部を制御するための制御情報であって、ユーザにより操作される主体を、当該映像機器から上記録画再生部に移行させるための制御情報を送信する
ことを特徴とする映像機器。
【請求項１０】
表示装置に接続される映像機器であって、
入出力部と、制御部とを備え、
上記制御部は、
上記表示装置より、コンテンツの取得元を当該映像機器に切り換えた旨の制御情報を受信した場合に、当該映像機器に対する上記ユーザの操作を示す操作信号の受付を開始することを特徴とする映像機器。
【請求項１１】
請求項１から９の何れか一項に記載の映像機器と、
上記映像機器に接続された表示装置と、
上記表示装置に接続され、上記映像機器から送信された制御情報に基づき処理を実行する他の映像機器と、
を備えることを特徴とする映像システム。
【請求項１２】
請求項１に記載の映像機器としてコンピュータを機能させるためのプログラムであって、上記制御部としてコンピュータを機能させるための制御プログラム。
【請求項１３】
請求項１２に記載の制御プログラムを記録したコンピュータ読み取り可能な記録媒体。
【発明の詳細な説明】
【技術分野】
【０００１】
本発明は、映像機器、映像システム、プログラム、及び記録媒体に関する。
【背景技術】
【０００２】
従来、複数の録画機器とＨＤＭＩ（登録商標）規格に準じた接続を行う表示装置が知られている。これらの表示装置では、録画予約要求を複数の録画機器のいずれかに送信し、録画予約要求を送信した録画機器が録画予約不可な状態にある場合、録画予約要求を複数の録画機器に含まれる他の録画機器に送信することで、複数の録画機器の録画予約情報を一括管理するものがある（例えば、特許文献１参照）。
【先行技術文献】
【特許文献】
【０００３】
【特許文献１】特許第４６６６３８４号（２００８年３月２１日公開）
【発明の概要】
【発明が解決しようとする課題】
【０００４】
しかしながら、上述のような従来技術では、表示装置が複数の録画機器の予約情報を一括管理する機能を備えている必要がある。一方で、表示装置が複数の録画機器の予約情報を一括管理する機能を備えていなくても、複数の録画機器を一つのリモコンを用いて連携操作したいというユーザの要望がある。
【０００５】
本発明の一態様は、上述した事情に鑑みてなされたものであり、一つのリモコンを用いて複数の映像機器を連携操作することができる技術を提供することを目的とする。
【課題を解決するための手段】
【０００６】
上記の課題を解決するために、本発明の一態様に係る映像機器は、表示装置に接続される映像機器であって、入出力部と、制御部とを備え、上記制御部は、ユーザからの操作入力に起因して、上記表示装置に接続された他の映像機器に対して、当該他の映像機器を制御するための制御情報を送信する構成である。
【発明の効果】
【０００７】
本発明の一態様によれば、一つのリモコンを用いて複数の映像機器を連携操作することができる。
【図面の簡単な説明】
【０００８】
【図１】実施形態１に係る映像システムの概略構成を示すブロック図である。
【図２】映像システムの概略構成を示す図である。
【図３】映像システムの動作を模式的に示す図である。
【図４】映像システムの動作を模式的に示す図である。
【図５】第１の記録再生装置の制御部の処理の流れを示すフローチャートである。
【図６】第２の記録再生装置の制御部の処理の流れを示すフローチャートである。
【図７】実施形態２に係る映像システムの動作を模式的に示す図である。
【図８】実施形態２に係る映像システムの動作を模式的に示す図である。
【図９】実施形態２に係る映像システムの動作を模式的に示す図である。
【図１０】第１の記録再生装置の制御部の処理の流れを示すフローチャートである。
【図１１】第２の記録再生装置の制御部の処理の流れを示すフローチャートである。
【図１２】実施形態３に係る映像システムの動作を模式的に示す図である。
【図１３】実施形態３に係る映像システムの動作を模式的に示す図である。
【図１４】実施形態３に係る映像システムの動作を模式的に示す図である。
【図１５】第１の記録再生装置の制御部の処理の流れを示すフローチャートである。
【図１６】第２の記録再生装置の制御部の処理の流れを示すフローチャートである。
【発明を実施するための形態】
【０００９】
〔実施形態１〕
以下、本発明の実施形態１に係る映像機器について、詳細に説明する。実施形態１に係る映像機器は、テレビ受像機等の表示装置１０に接続される機器である。映像機器は、例えば、放送信号を受信して、受信した放送信号を表示装置１０で表示可能な映像信号に変換するセットトップボックスであってもよい。また、映像機器は、ハードディスク、ＤＶＤ、ＢＤ等の記録媒体に、映像を記録するとともに、記録した映像を表示装置に出力して表示する映像録画再生機であってもよい。以下の説明では、映像機器が、映像録画再生機器である場合を例に説明する。
【００１０】
図１は、映像録画再生機器である記録再生装置１００（１００Ａ，１００Ｂ）と、表示装置１０とを含む映像システム１の概略構成を示すブロック図である。図２は、映像システム１の概略構成を示す図である。図１、及び図２に示すように、映像システム１は、表示装置１０と、表示装置１０に接続された複数の記録再生装置１００Ａ，１００Ｂと、を含んでいる。なお、表示装置１０に接続される記録再生装置１００は、２台に限らず、３台以上の複数の記録再生装置１００が表示装置１０に接続されていてもよい。また、表示装置１０には、複数の記録再生装置１００の他に、セットトップボックス等の他の映像機器が接続されていても良い。
【００１１】
表示装置１０と、記録再生装置１００とは、ＨＤＭＩ（登録商標）規格に準拠したＨＤＭＩケーブルを介して接続されている。なお、表示装置１０と、記録再生装置１００とは、ＨＤＭＩケーブルによって接続されている構成に限らず、ＭＨＬ規格や、Ｅｔｈｅｒなどの伝送手段を用いて接続されていてもよい。また、表示装置１０と、記録再生装置１００とは、映像出力と、制御コマンドの送受信との両方が可能な、いかなる接続方式によって接続されていてもよい。
【００１２】
表示装置１０に接続された複数の記録再生装置１００Ａ，１００Ｂは、何れか一つがマスターとして機能し、その他がスレーブとして機能する。本実施形態では、第１の記録再生装置１００Ａがマスターとして機能し、第２の記録再生装置１００Ｂがスレーブとして機能するとして以下に説明する。つまり、第１の記録再生装置１００Ａは、ユーザからの操作入力を受け付けるソース機器として機能とともに、当該操作入力に応じて、シンク機器として機能する第２の記録再生装置１００Ｂを制御する。
【００１３】
リモコン５０は、記録再生装置１００用のリモートコントローラであり、例えば赤外線を使用して情報を送信する所謂赤外線リモコンを用いることができる。また、リモコン５０は、スマートフォンのアプリケーションを用いた所謂スマホリモコンであってもよい。表示装置１０、及び記録再生装置１００Ａ，１００Ｂは何れもリモコン５０からの信号を受信可能な範囲内に設置されている。
【００１４】
マスターとして機能する第１の記録再生装置１００Ａは、リモコン５０に対するユーザの操作に応じた入力信号を、リモコン５０から受け付ける。スレーブとして機能する第２の記録再生装置１００Ｂでは、リモコン５０からの入力が禁止されている。例えば、第１の記録再生装置１００Ａは、リモコン５０から所定のリモコンコードが含まれる入力信号を受信するように設定されているため、リモコン５０からの入力信号を受信することができ、マスターとして機能する。一方で、第２の記録再生装置１００Ｂは、当該所定のリモコンコードが含まれる入力信号を受信するようには設定されていないため、リモコン５０からの入力信号を受信することができず、表示装置１０を介して制御情報を取得するスレーブとして機能する。
【００１５】
（記録再生装置の構成について）
図１に示すように、記録再生装置１００は、通信インターフェース１０１、通信制御部１０２、映像音声送信部１０３、及び制御部１１０を含んでいる。また、記録再生装置１００は、コンテンツ記録部１１２を含んでいる。また、記録再生装置１００は、放送受信部１１１と、受信部１２０を備えている。また、記録再生装置１００は、ＧＵＩ１０４、映像デコーダ１０５、及び音声デコーダ１０６を含んでいる。なお、通信インターフェース１０１と、映像音声送信部１０３とを合わせて、記録再生装置１００の入出力部とも称する。
【００１６】
制御部１１０は、記録再生装置１００の各部を統括的に制御する機能を備えている演算装置である。制御部１１０は、例えば１つ以上のプロセッサ（例えばＣＰＵなど）が、１つ以上のメモリ（例えばＲＡＭやＲＯＭなど）に記憶されているプログラムを実行することで記録再生装置１００の各構成要素を制御する。
【００１７】
通信インターフェース１０１は、表示装置１０との間で通信を行い、表示装置１０に出力信号を送信するとともに、表示装置１０からの入力信号を受信する。記録再生装置１００は、表示装置１０とは、ＨＤＭＩケーブルを介して接続されているため、ＣＥＣコマンドを使用して制御情報を送受信することができる。なお、図１では、通信インターフェース１０１と、映像音声送信部１０３とのそれぞれから表示部３０に繋がる線が示されているが、これは信号の流れを示すものであり、接続ケーブルを示すものではない。
【００１８】
通信制御部１０２は、ユーザのリモコン５０に対する操作に起因する入力信号を受信部１２０を介して受信する。また、通信制御部１０２は、制御部１１０の制御に応じて、通信インターフェース１０１を制御し、表示装置１０との間で制御情報の送受信を行う。
【００１９】
映像音声送信部１０３は、ユーザのリモコン５０に対する操作に起因する、制御部１１０の制御に応じて、表示装置１０に映像と、当該映像の音声とを送信する。
【００２０】
コンテンツ記録部１１２は、ハードディスクドライブや光ディクスレコーダ等を備え、受信した放送信号に含まれる画像及び音声を記録することができる。
【００２１】
放送受信部１１１は、放送波を受信するチューナを備え、放送信号と、電子番組表とを取得する。
【００２２】
受信部１２０は、た、受信部１２０は、リモコン５０と、例えば赤外線通信を行って、ユーザのリモコン５０に対する操作に起因する入力信号をリモコン５０から受信する。
【００２３】
ＧＵＩ１０４は、制御部１１０の制御に応じて、メニュー、ボタン、及びアイコン等の画像を生成する。ＧＵＩ１０４は、生成した画像を、映像音声送信部１０３を介して表示装置１０に送信する。ユーザは、ＧＵＩ１０４によって生成され、表示装置１０に表示された画像を、リモコン５０で選択する等の操作を行うことで、画像に応じたアクションを記録再生装置１００Ａ，１００Ｂ、或いは表示装置１０に実行させることができる。
【００２４】
映像デコーダ１０５は、制御部１１０の制御に応じて、コンテンツ記録部１１２に符号化して記録している映像データを復号化する。映像デコーダ１０５は、復号化した映像データを映像音声送信部１０３を介して表示装置１０に送信する。
【００２５】
音声デコーダ１０６は、制御部１１０の制御に応じて、コンテンツ記録部１１２に符号化して記録している音声データを復号化する。音声デコーダ１０６は、復号化した音声データを映像音声送信部１０３を介して表示装置１０に送信する。
【００２６】
（表示装置の構成について）
表示装置１０は、通信インターフェース１１、通信制御部１２、映像音声受信部１３（１３Ａ，１３Ｂ）、ＣＰＵ２０、入力切換部１５、及び表示部３０を含んでいる。表示装置１０は、記録再生装置１００から出力される映像信号を表示するディスプレイ装置であってもよいし、放送波を受信可能なテレビジョン受像器であってもよい。
【００２７】
通信インターフェース１１は、記録再生装置１００との間で通信を行い、記録再生装置１００に出力信号を送信するとともに、記録再生装置１００からの入力信号を受信する。
【００２８】
通信制御部１２は、ＣＰＵ２０の制御に応じて、通信インターフェース１１を制御し、記録再生装置１００との間で制御情報の送受信を行う。
【００２９】
ＣＰＵ２０は、表示装置１０の各部を統括的に制御する機能を備えている演算装置である。ＣＰＵ２０は、例えば１つ以上のプロセッサ（例えばＣＰＵなど）が、１つ以上のメモリ（例えばＲＡＭやＲＯＭなど）に記憶されているプログラムを実行することで表示装置１０の各構成要素を制御する。
【００３０】
映像音声受信部１３（１３Ａ，１３Ｂ）は、表示装置１０に接続される映像機器の接続端子ごとに設けられている。本実施形態では、第１の記録再生装置１００Ａの映像音声送信部１０３から送信される映像音声信号を受信する映像音声受信部１３Ａと、第２の記録再生装置１００Ｂの映像音声送信部１０３から送信される映像音声信号を受信する映像音声受信部１３Ｂと、を備えている。
【００３１】
入力切換部１５は、ＣＰＵ２０の制御に応じて、表示部３０に表示する画像の受信元を、映像音声受信部１３Ａと、映像音声受信部１３Ｂとの間で切り換える。また、表示装置１０がテレビジョン受像機である場合には、入力切換部１５は、記録再生装置１００から出力される信号に基づく画像を表示部３０に表示するのか、表示装置１０が受信したデータストリームに応じた画像を表示部３０に表示するのか、を切り換えることができてもよい。
【００３２】
表示部３０は、例えば、液晶ディスプレイ、有機ＥＬ（Electro Luminescence）ディスプレイ（ＯＬＥＤ）、及びプラズマディスプレイ等のディスプレイデバイスである。
【００３３】
（映像システムの動作について）
図３及び図４は、映像システム１の動作を模式的に示す図である。
【００３４】
図３に示すように、ユーザは、リモコン５０を操作することで、第１の記録再生装置１００Ａに記録されている映像の一覧であるコンテンツリストを、表示装置１０の表示部３０に表示させることができる。第１の記録再生装置１００Ａの制御部１１０によって表示装置１０の表示部３０に表示させることができる所謂コンテンツは、コンテンツリストに限らず、放送受信部１１１によって取得された電子番組表であってもよい。第１の記録再生装置１００Ａは、リモコン５０から送信される入力信号に含まれるリモコンコードを認識するが、第２の記録再生装置１００Ｂは、当該リモコンコードを認識しないため、リモコン５０による入力が禁止されている状態となっている。
【００３５】
一方で、第１の記録再生装置１００Ａと、第２の記録再生装置１００Ｂとは、表示装置１０を介して、制御情報を互いに送受信することができる。第１の記録再生装置１００Ａの制御部１１０は、表示装置１０に接続された他の映像機器に対して応答を要求する制御情報を送信する。表示装置１０は、第１の記録再生装置１００Ａから受信した制御情報を、接続されている第２の記録再生装置１００Ｂに送信する。
【００３６】
第２の記録再生装置１００Ｂの制御部１１０は、応答を要求する制御情報を受信すると、これに対して応答する制御情報を、第１の記録再生装置１００Ａに対して発行する。第１の記録再生装置１００Ａの制御部１１０は、応答を要求する制御情報に対する応答を受信して、表示装置１０に第２の記録再生装置１００Ｂが接続されていることを認識する。
【００３７】
第２の記録再生装置１００Ｂの制御部１１０は、応答を要求する制御情報に対する応答に、第２の記録再生装置１００Ｂを特定するための機器ＩＤを含める。第１の記録再生装置１００Ａの制御部１１０は、受信した機器ＩＤを保存し、当該機器ＩＤを用いて、表示装置１０を介して、第２の記録再生装置１００Ｂとの間で制御情報の送受信を行う。
【００３８】
これにより、第１の記録再生装置１００Ａの制御部１１０は、ユーザからの操作入力に起因して、表示装置１０を介して、表示装置１０に接続された他の映像機器である第２の記録再生装置１００Ｂに対して、第２の記録再生装置１００Ｂを制御するための制御情報を送信することができる。このため、ユーザは、第１の記録再生装置１００Ａ用のリモコン５０を、表示装置１０のリモコン、或いは第２の記録再生装置１００Ｂのリモコンに持ちかえることなく、１つのリモコンで、これらの装置を操作することができる。また、ユーザはリモコン５０に対する操作で、入力装置の切り換え等を行う必要がない。よって、ユーザは、リモコン５０に対する直観的な操作で、表示装置１０に接続されている複数の映像機器を操作することができる。
【００３９】
また、第１の記録再生装置１００Ａと、第２の記録再生装置１００Ｂとは、ＨＤＭＩケーブルを介して表示装置１０に接続されているため、第１の記録再生装置１００Ａの制御部１１０は、ユーザからの操作入力に起因して、ＨＤＭＩ（登録商標）規格に基づくＣＥＣコマンドを使用して、表示装置１０に接続された他の映像機器である第２の記録再生装置１００Ｂに対して、制御情報を送信する。また、表示装置に接続された第１の記録再生装置１００Ａと、第２の記録再生装置１００Ｂとは、ＭＨＬ規格や、Ｅｔｈｅｒなど他の所定の規格に基づくコマンドを使用して、制御情報を送受信してもよい。
【００４０】
第１の記録再生装置１００Ａの制御部１１０は、ＧＵＩ１０４の機能により、第１の記録再生装置１００Ａのコンテンツリストを示す画像に、アイコン５を含ませる。コンテンツリストが複数ページに亘る場合には、ユーザは、リモコン５０を用いて当該アイコン５を選択する操作を行うことで、コンテンツリストの最終頁まで、表示を移送させることができる。アイコン５は、図３に示したように、例えば、画面の移送を示す矢印とすることができる。
【００４１】
第１の記録再生装置１００Ａに記録されているコンテンツに視聴したいものが無かった場合等、ユーザは、コンテンツリストの最終頁まで表示を移送させた後に、更にアイコン５を選択することがある。このように、コンテンツリストの最終頁まで表示を移送させた後に、更にユーザによりアイコン５が選択されると、第１の記録再生装置１００Ａの制御部１１０は、表示装置１０に接続されている他の映像機器を検索し、第２の記録再生装置１００Ｂを検出する。
【００４２】
第１の記録再生装置１００Ａの制御部１１０は、ユーザの操作が、他の映像機器に格納されたコンテンツの閲覧に関する操作である場合に、検出した他の映像機器である第２の記録再生装置１００Ｂに対して、第２の記録再生装置１００Ｂに格納されたコンテンツの閲覧に関する制御情報を送信する。
【００４３】
また、第１の記録再生装置１００Ａの制御部１１０は、表示装置１０に対して、コンテンツの取得元を第２の記録再生装置１００Ｂに切り換える旨の制御情報を送信する。つまり、第１の記録再生装置１００Ａの制御部１１０は、ユーザにより操作される主体を、当該映像機器から上記他の映像機器に移行させるための情報として、制御情報を送信する。
【００４４】
なお、第１の記録再生装置１００Ａの制御部１１０は、アイコン５と共に、表示装置１０に接続されている他の映像機器のそれぞれを示す複数のアイコン（例えば、ＨＤＭＩ−２、ＨＤＭＩ−３等のように接続端子が記されたボタン）をコンテンツリストに表示してもよい。そして、第１の記録再生装置１００Ａの制御部１１０は、ユーザによって他の映像機器を選択する操作がリモコン５０に対して行われた場合には、対応する映像機器に対してコンテンツリストの出力を要求する制御情報を送信することができてもよい。
【００４５】
コンテンツリストの出力を要求する制御情報を受信すると、第２の記録再生装置１００Ｂの制御部１１０は、画像の入力元を第２の記録再生装置１００Ｂに切り換える制御情報を表示装置１０に対して送信する。
【００４６】
図４に示すように、画像の入力元を第２の記録再生装置１００Ｂに切り換える制御情報を受信すると、表示装置１０のＣＰＵ２０は、入力切換部１５の機能により、映像音声信号の受信元を映像音声受信部１３Ｂに切り換えて、第２の記録再生装置１００Ｂのコンテンツリストを表示部３０に表示する。また、表示装置１０のＣＰＵ２０は、第２の記録再生装置１００Ｂに入力設定を行ったことを示す制御情報を第１の記録再生装置１００Ａ、及び第２の記録再生装置１００Ｂに対して送信する。
【００４７】
第２の記録再生装置１００Ｂに入力設定を行い、コンテンツの取得元を第２の記録再生装置１００Ｂに切り換えた旨の制御情報を表示装置１０から受信した場合に、第１の記録再生装置１００Ａの制御部１１０は、リモコン５０からの入力を禁止し、ユーザの操作を示す操作信号の受付を停止する。
【００４８】
一方で、第２の記録再生装置１００Ｂに入力設定を行ったことを示す制御情報を受信すると、第２の記録再生装置１００Ｂの制御部１１０は、リモコン５０からの入力を許可する。例えば、第２の記録再生装置１００Ｂに入力設定を行ったことを示す制御情報には、リモコン５０のリモコンコードが含まれており、第２の記録再生装置１００Ｂの制御部１１０は、当該リモコンコードが含まれている入力信号を受信するように受信部１２０を設定する。また、第１の記録再生装置１００Ａの制御部１１０は、当該リモコンコードが含まれている入力信号を受信しないように受信部１２０を設定する。
【００４９】
このように、第１の記録再生装置１００Ａと、第２の記録再生装置１００Ｂとは、ユーザからの操作入力に起因して、表示装置１０に対する画像の入力が切り替えられると、マスターと、スレーブとが自動で入れ替えられるように構成されている。よって、これらの構成によれば、ユーザは、表示装置１０にＨＤＭＩケーブルで接続された複数台の映像機器を、１つのリモコン５０で、入力切換を意識的に行うことなく連携操作することができる。また、入力切換を行うことなく、リモコン５０により各映像機器を操作することができるため、各映像機器の全機能を使用することができる。
【００５０】
（映像システムの処理の流れについて）
図５及び図６は、映像システム１による処理の流れの一例を示すフローチャートである。図５は、第１の記録再生装置１００Ａの制御部１１０の処理の流れを示し、図６は第２の記録再生装置１００Ｂの制御部１１０の処理の流れを示す。
【００５１】
まず、図５を参照して、第１の記録再生装置１００Ａの制御部１１０の処理の流れについて説明する。
【００５２】
（ステップＳ１０１）
第１の記録再生装置１００Ａの制御部１１０は、コンテンツリストを生成し、生成したコンテンツリストを映像音声送信部１０３を介して表示装置１０に送信し、表示させる。
【００５３】
（ステップＳ１０２）
第１の記録再生装置１００Ａの制御部１１０は、ユーザによる頁移送の操作に応じてコンテンツリストを最終頁まで表示したか否かを判定する。第１の記録再生装置１００Ａの制御部１１０は、コンテンツリストを最終頁まで表示していないと判定すると（ステップＳ１０２でＮＯ）、次ページを表示して、ユーザによって次の頁移送の操作が行われるまで待機する。第１の記録再生装置１００Ａの制御部１１０は、コンテンツリストを最終頁まで表示したと判定すると（ステップＳ１０２でＹＥＳ）、ステップＳ１０３に進む。
【００５４】
（ステップＳ１０３）
第１の記録再生装置１００Ａの制御部１１０は、応答を要求する制御情報を送信して、表示装置１０に接続されている他の記録再生装置を検索する。第１の記録再生装置１００Ａの制御部１１０は、第２の記録再生装置１００Ｂの制御部１１０と連動し（図６のステップＳ１１）、制御情報を第２の記録再生装置１００Ｂに送信する。
【００５５】
（ステップＳ１０４）
第１の記録再生装置１００Ａの制御部１１０は、他の映像機器から応答があったか否かを判定する。第１の記録再生装置１００Ａの制御部１１０は、第２の記録再生装置１００Ｂの制御部１１０と連動し（図６のステップＳ１２）、制御情報を第２の記録再生装置１００Ｂから受信する。制御部１１０は、他の映像機器から応答があったと判定すると（ステップＳ１０４でＹＥＳ）、ステップＳ１０６に進む。制御部１１０は、他の映像機器から応答がないと判定すると（ステップＳ１０４でＮＯ）、ステップＳ１０５に進む。
【００５６】
（ステップＳ１０５）
第１の記録再生装置１００Ａの制御部１１０は、他の映像機器の検索時間が所定時間経過したかを判定する。制御部１１０は、他の映像機器の検索時間が所定時間経過したと判定すると（ステップＳ１０５でＹＥＳ）、処理を終了する。制御部１１０は、他の映像機器の検索時間が所定時間経過していないと判定すると（ステップＳ１０５でＮＯ）、ステップＳ１０４に戻り処理を継続する。
【００５７】
（ステップＳ１０６）
第１の記録再生装置１００Ａの制御部１１０は、他の映像機器からの応答に含まれている他の映像機器のＩＤを保存する。ここで、第２の記録再生装置１００Ｂから応答があったとする。
【００５８】
（ステップＳ１０７）
第１の記録再生装置１００Ａの制御部１１０は、第２の記録再生装置１００Ｂのコンテンツリストを表示するためのアイコン５を生成して、当該アイコンを表示装置１０に送信し表示させる。
【００５９】
（ステップＳ１０８）
第１の記録再生装置１００Ａの制御部１１０は、ユーザのリモコン５０に対する操作によって、第２の記録再生装置１００Ｂのコンテンツリストを表示するためのアイコン５が選択されたか否かを判定する。制御部１１０は、アイコン５が選択されたと判定すると（ステップＳ１０８でＹＥＳ）、ステップＳ１０９に進む。制御部１１０は、アイコン５が選択されていないと判定すると（ステップＳ１０８でＮＯ）、アイコン５が選択されるまで、表示装置１０に対して第１の記録再生装置１００Ａのコンテンツリストの表示を継続させる。
【００６０】
（ステップＳ１０９）
第１の記録再生装置１００Ａの制御部１１０は、第２の記録再生装置１００Ｂの制御部１１０と連動し（図６のステップＳ１３、Ｓ１４）、制御情報を第２の記録再生装置１００Ｂにコンテンツリストの表示を要求する制御情報を送信する。
【００６１】
（ステップＳ１１０）
第１の記録再生装置１００Ａの制御部１１０は、表示装置１０のコンテンツの取得元が第２の記録再生装置１００Ｂに切り換えられたか否かを示す制御情報を受信したか否かを判定する。第１の記録再生装置１００Ａの制御部１１０は、コンテンツの取得元の切換完了の制御情報を受信するまで待機する（ステップＳ１１０でＮＯ）。第１の記録再生装置１００Ａの制御部１１０は、コンテンツの取得元の切換完了の制御情報を受信すると（ステップＳ１１０でＹＥＳ）、ステップＳ１１１に進む。
【００６２】
（ステップＳ１１１）
第１の記録再生装置１００Ａの制御部１１０は、リモコン５０からの入力を禁止して、ユーザの操作を示す操作信号の受付を停止し、処理を終了する。
【００６３】
次に、図６を参照して、第２の記録再生装置１００Ｂの制御部１１０の処理の流れについて説明する。
【００６４】
（ステップＳ１１）
第２の記録再生装置１００Ｂの制御部１１０は、第１の記録再生装置１００Ａの制御部１１０と連動し（図５のステップＳ１０３）、表示装置１０を介して応答を要求する制御情報を第１の記録再生装置１００Ａから受信したか否かを判定する。第２の記録再生装置１００Ｂの制御部１１０は、応答を要求する制御情報を受信するまで待機する（ステップＳ１１でＮＯ）。第２の記録再生装置１００Ｂの制御部１１０は、応答を要求する制御情報を受信したと判定すると（ステップＳ１１でＹＥＳ）、ステップＳ１２に進む。
【００６５】
（ステップＳ１２）
第２の記録再生装置１００Ｂの制御部１１０は、第１の記録再生装置１００Ａの制御部１１０と連動し（図５のステップＳ１０４）、応答を要求する制御情報に対して、自装置のＩＤを含む制御情報を送信して応答する。
【００６６】
（ステップＳ１３）
第２の記録再生装置１００Ｂの制御部１１０は、第１の記録再生装置１００Ａの制御部１１０と連動し（図５のステップＳ１０９）、第１の記録再生装置１００Ａからの制御情報を表示装置１０を介して受信するまで待機する（ステップＳ１３でＮＯ）。第２の記録再生装置１００Ｂの制御部１１０は、第１の記録再生装置１００Ａからの制御情報を受信すると（ステップＳ１３でＹＥＳ）、ステップＳ１４に進む。
【００６７】
（ステップＳ１４）
第２の記録再生装置１００Ｂの制御部１１０は、第１の記録再生装置１００Ａからの制御情報がコンテンツリストの表示を要求するものであるか否かを判定する。第２の記録再生装置１００Ｂの制御部１１０は、コンテンツリストの表示を要求する制御情報を受信するまで待機する（ステップＳ１４でＮＯ）。第２の記録再生装置１００Ｂの制御部１１０は、コンテンツリストの表示を要求する制御情報を受信したと判定すると（ステップＳ１４でＹＥＳ）、ステップＳ１５に進む。
【００６８】
（ステップＳ１５）
第２の記録再生装置１００Ｂの制御部１１０は、コンテンツリストを生成して、生成したコンテンツリストを表示装置１０に送信し、表示させる。
【００６９】
（ステップＳ１６）
第２の記録再生装置１００Ｂの制御部１１０は、表示装置１０に対して、第２の記録再生装置１００Ｂから出力される画像信号に基づいて自動で表示を行うように、コンテンツの取得元の切換を要求する制御情報（ブロードキャストコマンド）を送信する。
【００７０】
（ステップＳ１７）
第２の記録再生装置１００Ｂの制御部１１０は、表示装置１０からコンテンツの取得元の切換完了を示す制御情報を受信したか否かを判定する。第２の記録再生装置１００Ｂの制御部１１０は、コンテンツの取得元の切換完了を示す制御情報を受信するまで待機する（ステップＳ１７でＮＯ）。第２の記録再生装置１００Ｂの制御部１１０は、コンテンツの取得元の切換完了を示す制御情報を受信したと判定すると（ステップＳ１７でＹＥＳ）、ステップＳ１８に進む。
【００７１】
（ステップＳ１８）
第２の記録再生装置１００Ｂの制御部１１０は、リモコン５０からの入力を許可して、ユーザの操作を示す操作信号の受付を開始し、処理を終了する。
【００７２】
なお、実施形態１では、他の映像機器である第２の記録再生装置１００Ｂが、表示装置１０に接続される外部機器である構成について説明した。しかし、図示は省略するが、映像システム１の構成はこれに限らず、他の映像機器は、表示装置１０に内蔵されたハードディスクによって構成された録画再生部であってもよい。
【００７３】
表示装置１０に内蔵された録画再生部は、表示装置１０に接続された第１の記録再生装置１００Ａのスレーブとして機能する。第１の記録再生装置１００Ａの制御部１１０は、ユーザからの操作入力に起因して、表示装置１０に内蔵された録画再生部に対して、当該録画再生部を制御するための制御情報であって、ユーザにより操作される主体を、第１の記録再生装置１００Ａから表示装置１０に内蔵された録画再生部に移行させるための制御情報を送信する。
【００７４】
このように、他の映像機器が表示装置１０に内蔵された録画再生部であっても、第１の記録再生装置１００Ａの制御部１１０と、表示装置１０に内蔵された録画再生部とは、図５及び図６で示したのと同様のフローで連動し、ユーザにより操作される主体を互いに移行させるための制御情報を送受信する。
【００７５】
〔実施形態２〕
本発明の実施形態２について、以下に説明する。なお、説明の便宜上、上記実施形態１にて説明した部材と同じ機能を有する部材については、同じ符号を付記し、その説明を繰り返さない。また、実施形態２に係る映像システム１の概略構成は、図１を用いて説明した実施形態１と同様のであり、その説明を省略する。
【００７６】
図７〜図９は、実施形態２に係る映像システム１の動作を模式的に示す図である。
【００７７】
図７に示すように、第１の記録再生装置１００Ａの制御部１１０は、リモコン５０に対するユーザの操作入力に起因して、受信部１２０によって取得した電子番組表を、表示装置１０の表示部３０に表示させることができる。このとき、第１の記録再生装置１００Ａは、リモコン５０から送信される信号に含まれるリモコンコードを認識するように設定されているため、リモコン５０による入力を許可する。一方で、第２の記録再生装置１００Ｂは、当該リモコンコードを認識できないため、リモコン５０による入力を禁止している。
【００７８】
第１の記録再生装置１００Ａ、及び第２の記録再生装置１００Ｂは、ダブルチューナやトリプルチューナ等の、複数のチューナを備えた装置であり、多チャンネルを同時に録画可能である。ユーザは、リモコン５０を操作することで、表示部３０に表示された第１の記録再生装置１００Ａの電子番組表から、録画を行う特定の番組を選択して、録画予約を行うことができる。
【００７９】
しかしながら、複数の番組に対して既に予約設定が行われており、第１の記録再生装置１００Ａではこれ以上録画予約を行うことができない場合のように、ユーザからの操作入力に起因する操作信号に含まれる操作が、第１の記録再生装置１００Ａにおいて実行することのできない操作であることがある。
【００８０】
このように、操作信号に含まれる操作が、第１の記録再生装置１００Ａにおいて実行することのできない操作であると第１の記録再生装置１００Ａの制御部１１０が判定すると、第１の記録再生装置１００Ａの制御部１１０は、図８に示すように、制御情報として、表示装置１０に接続されている他の映像機器に対して、当該他の映像装置を制御するための制御情報を送信する。第１の記録再生装置１００Ａにおいて実行することのできない操作が上述のように、予約録画である場合には、第１の記録再生装置１００Ａの制御部１１０は、表示装置１０に接続されている他の映像機器に対して、録画予約スロット（予約時間帯に空きがあるか）を確認する制御情報を送信する。
【００８１】
また、表示装置１０に、複数の映像機器が接続されている場合であって、ユーザからの操作入力に起因する操作信号に含まれる操作が、第１の記録再生装置１００Ａにおいて実行することのできない操作である場合には、第１の記録再生装置１００Ａの制御部１１０は、制御情報として、１又は複数の他の映像機器に対して、操作信号に含まれる操作が実行可能であるかの問い合わせ送信してもよい。そして、当該問い合わせに対する応答を、１又は複数の他の映像機器から受信した場合には、第１の記録再生装置１００Ａの制御部１１０は、１又は複数の他の映像機器からの通知に応じて、制御情報を送信する他の映像装置を選択してもよい。
【００８２】
第１の記録再生装置１００Ａから、録画予約スロットを確認する制御情報を受信した第２の記録再生装置１００Ｂの制御部１１０は、当該時間帯にチューナの空きがあるか否かを判定する。第２の記録再生装置１００Ｂの制御部１１０は、録画予約スロットに空きがあると判定すると、予約スロットが空いていることを示す制御情報を第１の記録再生装置１００Ａに送信する。
【００８３】
第２の記録再生装置１００Ｂから、予約スロットが空いていることを示す制御情報を受信すると、第１の記録再生装置１００Ａの制御部１１０は、第２の記録再生装置１００Ｂに、予約録画を実行する番組に関する情報を送信する。また、第１の記録再生装置１００Ａの制御部１１０は、番組情報とともに、第２の記録再生装置１００Ｂの予約設定画面を表示装置１０の表示部３０に表示させる制御情報を第２の記録再生装置１００Ｂに送信する。
【００８４】
第２の記録再生装置１００Ｂの制御部１１０は、予約設定画面を表示装置１０の表示部３０に表示させる制御情報を受信すると、上記予約スロットに、上記番組情報を予約録画するための予約設定画面を表示部３０に表示させる。また、第２の記録再生装置１００Ｂの制御部１１０は、予約設定画面を表示部３０に表示させる際に、表示装置１０に対して、入力切換部１５を、第２の記録再生装置１００Ｂから入力を受けるように切り換える制御情報を送信する。
【００８５】
表示装置１０のＣＰＵ２０は、入力切換部１５を制御して、入力を第２の記録再生装置１００Ｂに切り換える。表示装置１０のＣＰＵ２０は、入力を切り換えて、第２の記録再生装置１００Ｂに入力設定を行ったことを示す制御情報を第１の記録再生装置１００Ａ、及び第２の記録再生装置１００Ｂに送信する。
【００８６】
図９に示すように、第１の記録再生装置１００Ａの制御部１１０は、表示装置１０より、コンテンツの取得元を第２の記録再生装置１００Ｂに切り換えた旨の制御情報を受信した場合に、第１の記録再生装置１００Ａに対するリモコン５０からの入力を禁止して、ユーザの操作を示す操作信号の受け付けを停止する。また、第２の記録再生装置１００Ｂの制御部１１０は、表示装置１０より、コンテンツの取得元を第２の記録再生装置１００Ｂに切り換えた旨の制御情報を受信した場合に、第２の記録再生装置１００Ｂに対するリモコン５０からの入力を許可し、ユーザの操作を示す操作信号の受付を開始する。
【００８７】
（映像システムの処理の流れについて）
図１０及び図１１は、実施形態２に係る映像システム１による処理の流れの一例を示すフローチャートである。図１０は、第１の記録再生装置１００Ａの制御部１１０の処理の流れを示し、図１１は第２の記録再生装置１００Ｂの制御部１１０の処理の流れを示す。
【００８８】
まず、図１０を参照して、第１の記録再生装置１００Ａの制御部１１０の処理の流れについて説明する。
【００８９】
（ステップＳ２１）
第１の記録再生装置１００Ａの制御部１１０は、番組表を生成し、生成した番組表を映像音声送信部１０３を介して表示装置１０に送信し、表示させる。
【００９０】
（ステップＳ２２）
第１の記録再生装置１００Ａの制御部１１０は、ユーザによって番組予約設定の操作が行われたか否かを判定する。第１の記録再生装置１００Ａの制御部１１０は、ユーザによって番組予約設定の操作が行われていないと判定すると（ステップＳ２２でＮＯ）、ユーザによって番組予約設定の操作が行われるまで待機する。第１の記録再生装置１００Ａの制御部１１０は、ユーザによって番組予約設定の操作が行われたと判定すると（ステップＳ２２でＹＥＳ）、ステップＳ２３に進む。
【００９１】
（ステップＳ２３）
第１の記録再生装置１００Ａの制御部１１０は、自装置に予約スロットの空きがあるか否かを判定する。第１の記録再生装置１００Ａの制御部１１０は、自装置に予約スロットの空きがあると判定すると（ステップＳ２３でＮＯ）、ステップＳ２４に進む。第１の記録再生装置１００Ａの制御部１１０は、自装置に予約スロットの空きが無いと判定すると（ステップＳ２３でＹＥＳ）、ステップＳ２５に進む。
【００９２】
（ステップＳ２４）
第１の記録再生装置１００Ａの制御部１１０は、通常の予約録画処理を行って処理を終了する。
【００９３】
（ステップＳ２５）
第１の記録再生装置１００Ａの制御部１１０は、表示装置１０に接続されている他の映像機器の予約スロットの空きを確認する制御情報を送信する。ここで、第１の記録再生装置１００Ａの制御部１１０は、第２の記録再生装置１００Ｂの制御部１１０と連動し（図１１のステップＳ４１）、制御情報を第２の記録再生装置１００Ｂに送信する。
【００９４】
（ステップＳ２６）
第１の記録再生装置１００Ａの制御部１１０は、他の映像機器の予約スロットに空きがあることを示す制御情報を受信したか否かを判定する。第１の記録再生装置１００Ａの制御部１１０は、他の映像機器の予約スロットに空きがあることを示す制御情報を受信していないと判定すると（ステップＳ２６でＮＯ）、他の映像機器の予約スロットに空きがあることを示す制御情報を受信するまで待機する。第１の記録再生装置１００Ａの制御部１１０は、他の映像機器の予約スロットに空きがあることを示す制御情報を受信したと判定すると（ステップＳ２６でＹＥＳ）、ステップＳ２７に進む。
【００９５】
（ステップＳ２７）
第１の記録再生装置１００Ａの制御部１１０は、予約スロットに空きがあることを示す制御情報を受信した他の映像機器のＩＤを保存する。ここで、第１の記録再生装置１００Ａの制御部１１０は、第２の記録再生装置１００Ｂから予約スロットに空きがあることを示す制御情報を受信した。
【００９６】
（ステップＳ２８）
第１の記録再生装置１００Ａの制御部１１０は、第２の記録再生装置１００Ｂの制御部１１０と連動し（図１１のステップＳ４３、Ｓ４４）、予約設定を要求する制御情報を第２の記録再生装置１００Ｂに対して送信するとともに、予約設定を行う番組に関する情報を送信する。
【００９７】
（ステップＳ２９）
第１の記録再生装置１００Ａの制御部１１０は、表示装置１０のコンテンツの取得元が第２の記録再生装置１００Ｂに切り換えられたか否かを示す制御情報を受信したか否かを判定する。第１の記録再生装置１００Ａの制御部１１０は、コンテンツの取得元の切換完了の制御情報を受信するまで待機する（ステップＳ２９でＮＯ）。第１の記録再生装置１００Ａの制御部１１０は、コンテンツの取得元の切換完了の制御情報を受信すると（ステップＳ２９でＹＥＳ）、ステップＳ３０に進む。
【００９８】
（ステップＳ３０）
第１の記録再生装置１００Ａの制御部１１０は、リモコン５０からの入力を禁止して、ユーザの操作を示す操作信号の受付を停止し、処理を終了する。
【００９９】
次に、図１１を参照して、第２の記録再生装置１００Ｂの制御部１１０の処理の流れについて説明する。
【０１００】
（ステップＳ４１）
第２の記録再生装置１００Ｂの制御部１１０は、第１の記録再生装置１００Ａの制御部１１０と連動し（図１０のステップＳ２５）、表示装置１０を介して第１の記録再生装置１００Ａから、予約スロットに空きがあるか否かを確認する制御情報を受信したか否かを判定する。第２の記録再生装置１００Ｂの制御部１１０は、予約スロットに空きがあるか否かを確認する制御情報を受信するまで待機する（ステップＳ４１でＮＯ）。第２の記録再生装置１００Ｂの制御部１１０は、予約スロットに空きがあるか否かを確認する制御情報を受信したと判定すると（ステップＳ４１でＹＥＳ）、ステップＳ４２に進む。
【０１０１】
（ステップＳ４２）
第２の記録再生装置１００Ｂの制御部１１０は、第１の記録再生装置１００Ａの制御部１１０と連動し（図１０のステップＳ２６）、予約スロットに空きがあることを示す制御情報を、自装置のＩＤとともに第１の記録再生装置１００Ａに送信する。
【０１０２】
（ステップＳ４３）
第２の記録再生装置１００Ｂの制御部１１０は、第１の記録再生装置１００Ａの制御部１１０と連動し（図１０のステップＳ２８）、第１の記録再生装置１００Ａからの制御情報を受信するまで待機する（ステップＳ４３でＮＯ）。第２の記録再生装置１００Ｂの制御部１１０は、第１の記録再生装置１００Ａから制御情報を受信すると（ステップＳ４３でＹＥＳ）、ステップＳ４４に進む。
【０１０３】
（ステップＳ４４）
第２の記録再生装置１００Ｂの制御部１１０は、第１の記録再生装置１００Ａからの制御情報が予約設定と番組情報の表示を要求するものであるか否かを判定する。第２の記録再生装置１００Ｂの制御部１１０は、予約設定と番組情報の表示を要求する制御情報を受信するまで待機する（ステップＳ４４でＮＯ）。第２の記録再生装置１００Ｂの制御部１１０は、予約設定と番組情報の表示を要求する制御情報を受信したと判定すると（ステップＳ４４でＹＥＳ）、ステップＳ４５に進む。
【０１０４】
（ステップＳ４５）
第２の記録再生装置１００Ｂの制御部１１０は、予約設定画面を生成して、生成した予約設定画面を表示装置１０に送信し、表示させる。
【０１０５】
（ステップＳ４６）
第２の記録再生装置１００Ｂの制御部１１０は、表示装置１０に対して、第２の記録再生装置１００Ｂから出力される画像信号に基づいて表示を行うように、入力切換を要求する制御情報（ブロードキャストコマンド）を送信する。
【０１０６】
（ステップＳ４７）
第２の記録再生装置１００Ｂの制御部１１０は、表示装置１０からコンテンツの取得元の切換完了を示す制御情報を受信したか否かを判定する。第２の記録再生装置１００Ｂの制御部１１０は、コンテンツの取得元の切換完了を示す制御情報を受信するまで待機する（ステップＳ４７でＮＯ）。第２の記録再生装置１００Ｂの制御部１１０は、コンテンツの取得元の切換完了を示す制御情報を受信したと判定すると（ステップＳ４７でＹＥＳ）、ステップＳ４８に進む。
【０１０７】
（ステップＳ４８）
第２の記録再生装置１００Ｂの制御部１１０は、リモコン５０からの入力を許可して、ユーザの操作を示す操作信号の受付を開始し、処理を終了する。
【０１０８】
これらの構成によれば、第１の記録再生装置１００Ａではこれ以上録画予約を行うことができない場合には、表示装置１０に接続されている他の映像機器の予約スロットを用いて、予約録画が行われる。よって、ユーザは、１つのリモコン５０で、機器の切換操作を行うこと無く、直観的な操作で、表示装置１０に接続されている複数の映像機器を連携させて予約録画を行うことができる。
【０１０９】
〔実施形態３〕
本発明の実施形態３について、以下に説明する。なお、説明の便宜上、上記実施形態１にて説明した部材と同じ機能を有する部材については、同じ符号を付記し、その説明を繰り返さない。また、実施形態３に係る映像システム１の概略構成は、図１を用いて説明した実施形態１と同様のであり、その説明を省略する。
【０１１０】
図１２〜図１４は、実施形態３に係る映像システム１の動作を模式的に示す図である。
【０１１１】
図１２に示すように、第１の記録再生装置１００Ａの制御部１１０は、リモコン５０に対するユーザの操作入力に起因して、受信部１２０によって取得した電子番組表を、表示装置１０の表示部３０に表示させることができる。このとき、第１の記録再生装置１００Ａは、リモコン５０から送信される信号に含まれるリモコンコードを認識するように設定されているため、リモコン５０による入力を許可する。一方で、第２の記録再生装置１００Ｂは、当該リモコンコードを認識できないため、リモコン５０による入力を禁止している。
【０１１２】
第１の記録再生装置１００Ａは、地上デジタル放送と、ＢＳ放送及びＣＳ放送とに対応したチューナを備える装置である。一方で、第２の記録再生装置１００Ｂは、地上デジタル放送、ＢＳ放送、及びＣＳ放送に加えて、高度ＢＳデジタル放送に対応したチューナを備える装置である。また、リモコン５０は、ユーザによる操作入力に起因して、高度ＢＳデジタル放送の受信を要求する入力信号を記録再生装置１００に送信する、高度ＢＳボタンを備えている。
【０１１３】
第１の記録再生装置１００Ａの制御部１１０は、ユーザからの操作入力に起因して、電子番組表を表示装置１０の表示部３０に表示させる。ここで、ユーザによってリモコン５０の高度ＢＳボタンが押下されると、第１の記録再生装置１００Ａの制御部１１０は、高度ＢＳデジタル放送への切り換えができないため、図１３に示すように、表示装置１０に接続されている他の映像機器に対して高度ＢＳ対応が可能であるかを問い合わせる制御情報を送信する。
【０１１４】
このように、第１の記録再生装置１００Ａの制御部１１０は、ユーザからの操作入力に起因する操作信号に含まれる操作が、第１の記録再生装置１００Ａにおいて実行することのできない操作である場合に、他の映像機器に対して、当該操作が可能であるかを問い合わせる。
【０１１５】
第１の記録再生装置１００Ａから、高度ＢＳ対応が可能であるかを問い合わせる制御情報を受信した第２の記録再生装置１００Ｂの制御部１１０は、高度ＢＳ対応が可能であることを示す制御情報を第１の記録再生装置１００Ａに送信する。
【０１１６】
第２の記録再生装置１００Ｂから、高度ＢＳ対応が可能であることを示す制御情報を受信すると、第１の記録再生装置１００Ａの制御部１１０は、第２の記録再生装置１００Ｂに、表示装置１０の入力を切り換えることを指示する制御情報を第２の記録再生装置１００Ｂに送信する。
【０１１７】
第２の記録再生装置１００Ｂの制御部１１０は、表示装置１０の入力を切り換える制御情報を受信すると、表示装置１０に対して、第２の記録再生装置１００Ｂから入力を受けるように入力切換部１５を切り換える制御情報を送信する。
【０１１８】
表示装置１０のＣＰＵ２０は、入力切換部１５を制御して、入力を第２の記録再生装置１００Ｂに切り換える。表示装置１０のＣＰＵ２０は、入力を切り換えて、第２の記録再生装置１００Ｂに入力設定を行ったことを示す制御情報を第１の記録再生装置１００Ａ、及び第２の記録再生装置１００Ｂに送信する。
【０１１９】
図１４に示すように、第１の記録再生装置１００Ａの制御部１１０は、第２の記録再生装置１００Ｂに入力設定を行ったことを示す制御情報を受信すると、リモコン５０からの入力を禁止して、ユーザの操作を示す操作信号の受け付けを停止する。また、第２の記録再生装置１００Ｂの制御部１１０は、第２の記録再生装置１００Ｂに入力設定を行ったことを示す制御情報を受信すると、リモコン５０からの入力を許可し、ユーザの操作を示す操作信号を受け付ける。
【０１２０】
（映像システムの処理の流れについて）
図１５及び図１６は、実施形態３に係る映像システム１による処理の流れの一例を示すフローチャートである。図１５は、第１の記録再生装置１００Ａの制御部１１０の処理の流れを示し、図１６は第２の記録再生装置１００Ｂの制御部１１０の処理の流れを示す。
【０１２１】
まず、図１５を参照して、第１の記録再生装置１００Ａの制御部１１０の処理の流れについて説明する。
【０１２２】
（ステップＳ５１）
第１の記録再生装置１００Ａの制御部１１０は、ユーザによってリモコン５０の高度ＢＳボタンが押下されたか否かを判定する。第１の記録再生装置１００Ａの制御部１１０は、ユーザによってリモコン５０の高度ＢＳボタンが押下されていないと判定すると（ステップＳ５１でＮＯ）、ユーザによってリモコン５０の高度ＢＳボタンが押下されるまで待機する。第１の記録再生装置１００Ａの制御部１１０は、ユーザによってリモコン５０の高度ＢＳボタンが押下されたと判定すると（ステップＳ５１でＹＥＳ）、ステップＳ５２に進む。
【０１２３】
（ステップＳ５２）
第１の記録再生装置１００Ａの制御部１１０は、自装置が高度ＢＳデジタル放送に対応しているかい否かを判定する。第１の記録再生装置１００Ａの制御部１１０は、自装置が高度ＢＳデジタル放送に対応していると判定すると（ステップＳ５２でＮＯ）、ステップＳ５３に進む。第１の記録再生装置１００Ａの制御部１１０は、自装置が高度ＢＳデジタル放送に対応していないと判定すると（ステップＳ５２でＹＥＳ）、ステップＳ５４に進む。
【０１２４】
（ステップＳ５３）
第１の記録再生装置１００Ａの制御部１１０は、通常の選局処理を行って処理を終了する。
【０１２５】
（ステップＳ５４）
第１の記録再生装置１００Ａの制御部１１０は、表示装置１０に接続されている他の映像機器に高度ＢＳデジタル放送の対応を確認する制御情報を送信する。ここで、第１の記録再生装置１００Ａの制御部１１０は、第２の記録再生装置１００Ｂの制御部１１０と連動し（図１６のステップＳ６１）、制御情報を第２の記録再生装置１００Ｂに送信する。
【０１２６】
（ステップＳ５５）
第１の記録再生装置１００Ａの制御部１１０は、他の映像機器が高度ＢＳデジタル放送に対応していることを示す制御情報を受信したか否かを判定する。第１の記録再生装置１００Ａの制御部１１０は、他の映像機器が高度ＢＳデジタル放送に対応していることを示す制御情報を受信していないと判定すると（ステップＳ５５でＮＯ）、他の映像機器が高度ＢＳデジタル放送に対応していることを示す制御情報を受信するまで待機する。第１の記録再生装置１００Ａの制御部１１０は、、他の映像機器である第２の記録再生装置１００Ｂの制御部１１０と連動し（図１１のステップＳ６２）、第２の記録再生装置１００Ｂが高度ＢＳデジタル放送に対応していることを示す制御情報を受信したと判定すると（ステップＳ５５でＹＥＳ）、ステップＳ５６に進む。
【０１２７】
（ステップＳ５６）
第１の記録再生装置１００Ａの制御部１１０は、高度ＢＳデジタル放送に対応していることを示す制御情報を受信した他の映像機器のＩＤを保存する。ここで、第１の記録再生装置１００Ａの制御部１１０は、第２の記録再生装置１００Ｂから高度ＢＳデジタル放送に対応していることを示す制御情報を受信したとする。
【０１２８】
（ステップＳ５７）
第１の記録再生装置１００Ａの制御部１１０は、第２の記録再生装置１００Ｂの制御部１１０と連動し（図１１のステップＳ６３、Ｓ６４）、第２の記録再生装置１００Ｂに対して、高度ＢＳデジタル放送の放送局を選局することを要求する制御情報を送信する。
【０１２９】
（ステップＳ５８）
第１の記録再生装置１００Ａの制御部１１０は、表示装置１０から、コンテンツの取得元が第２の記録再生装置１００Ｂに切り換えられたことを示す制御情報を受信したか否かを判定する。第１の記録再生装置１００Ａの制御部１１０は、コンテンツの取得元の切換完了の制御情報を受信するまで待機する（ステップＳ５８でＮＯ）。第１の記録再生装置１００Ａの制御部１１０は、コンテンツの取得元の切換完了の制御情報を受信すると（ステップＳ５８でＹＥＳ）、ステップＳ５９に進む。
【０１３０】
（ステップＳ５９）
第１の記録再生装置１００Ａの制御部１１０は、リモコン５０からの入力を禁止して、ユーザの操作を示す操作信号の受付を停止し、処理を終了する。
【０１３１】
次に、図１６を参照して、第２の記録再生装置１００Ｂの制御部１１０の処理の流れについて説明する。
【０１３２】
（ステップＳ６１）
第２の記録再生装置１００Ｂの制御部１１０は、第１の記録再生装置１００Ａの制御部１１０と連動し（図１５のステップＳ５４）、表示装置１０を介して第１の記録再生装置１００Ａから、高度ＢＳデジタル放送の対応を確認する制御情報を受信したか否かを判定する。第２の記録再生装置１００Ｂの制御部１１０は、高度ＢＳデジタル放送の対応を確認する制御情報を受信するまで待機する（ステップＳ６１でＮＯ）。第２の記録再生装置１００Ｂの制御部１１０は、高度ＢＳデジタル放送の対応を確認する制御情報を受信したと判定すると（ステップＳ６１でＹＥＳ）、ステップＳ６２に進む。
【０１３３】
（ステップＳ６２）
第２の記録再生装置１００Ｂの制御部１１０は、第１の記録再生装置１００Ａの制御部１１０と連動し（図１５のステップＳ５５）、高度ＢＳデジタル放送に対応していることを示す制御情報を、自装置のＩＤとともに第１の記録再生装置１００Ａに送信する。
【０１３４】
（ステップＳ６３）
第２の記録再生装置１００Ｂの制御部１１０は、第１の記録再生装置１００Ａからの制御情報を受信するまで待機する（ステップＳ６３でＮＯ）。第２の記録再生装置１００Ｂの制御部１１０は、第１の記録再生装置１００Ａから制御情報を受信すると（ステップＳ６３でＹＥＳ）、ステップＳ６４に進む。
【０１３５】
（ステップＳ６４）
第２の記録再生装置１００Ｂの制御部１１０は、第１の記録再生装置１００Ａからの制御情報が、高度ＢＳデジタル放送の放送局を選局することを要求するものであるか否かを判定する。第２の記録再生装置１００Ｂの制御部１１０は、高度ＢＳデジタル放送の放送局を選局することを要求する制御情報を受信するまで待機する（ステップＳ６４でＮＯ）。第２の記録再生装置１００Ｂの制御部１１０は、高度ＢＳデジタル放送の放送局を選局することを要求する制御情報を受信したと判定すると（ステップＳ６４でＹＥＳ）、ステップＳ６５に進む。
【０１３６】
（ステップＳ６５）
第２の記録再生装置１００Ｂの制御部１１０は、高度ＢＳデジタル放送の放送局を選局する処理を行う。
【０１３７】
（ステップＳ６６）
第２の記録再生装置１００Ｂの制御部１１０は、表示装置１０に対して、第２の記録再生装置１００Ｂから出力される画像信号に基づいて表示を行うように、入力切換を要求する制御情報（ブロードキャストコマンド）を送信する。
【０１３８】
（ステップＳ６７）
第２の記録再生装置１００Ｂの制御部１１０は、表示装置１０からコンテンツの取得元の切換完了を示す制御情報を受信したか否かを判定する。第２の記録再生装置１００Ｂの制御部１１０は、コンテンツの取得元の切換完了を示す制御情報を受信するまで待機する（ステップＳ６７でＮＯ）。第２の記録再生装置１００Ｂの制御部１１０は、コンテンツの取得元の切換完了を示す制御情報を受信したと判定すると（ステップＳ６７でＹＥＳ）、ステップＳ６８に進む。
【０１３９】
（ステップＳ６８）
第２の記録再生装置１００Ｂの制御部１１０は、リモコン５０からの入力を許可して、ユーザの操作を示す操作信号の受付を開始し、処理を終了する。
【０１４０】
これらの構成によれば、第１の記録再生装置１００Ａでは高度ＢＳデジタル放送に対応できない場合には、表示装置１０に接続されている他の映像機器のチューナを用いて高度ＢＳデジタル放送を選局する。よって、ユーザは、１つのリモコン５０で、機器の切換操作を行うこと無く、直観的な操作で、表示装置１０に接続されている複数の映像機器を連携させて高度ＢＳデジタル放送を視聴することができる。
【０１４１】
〔ソフトウェアによる実現例〕
記録再生装置１００の制御ブロック（特に制御部１１０）は、集積回路（ＩＣチップ）等に形成された論理回路（ハードウェア）によって実現してもよいし、ソフトウェアによって実現してもよい。
【０１４２】
後者の場合、記録再生装置１００は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０１４３】
〔まとめ〕
本発明の態様１に係る映像機器（記録再生装置１００Ａ，１００Ｂ）は、表示装置（１０）に接続される映像機器であって、入出力部（映像音声送信部１０３）と、制御部（１１０）とを備え、上記制御部は、ユーザからの操作入力に起因して、上記表示装置に接続された他の映像機器に対して、当該他の映像機器を制御するための制御情報を送信する構成である。
【０１４４】
上記の構成によれば、ユーザからの操作入力を受け付ける一つのリモコンを用いて、他の映像機器に制御情報を送ることができ、複数の映像機器を連携操作することができる。
【０１４５】
本発明の態様２に係る映像機器（１００）は、上記の態様１において、上記制御情報は、ユーザにより操作される主体を、当該映像機器から上記他の映像機器に移行させるための制御情報である構成としてもよい。
【０１４６】
上記の構成によれば、ユーザは、リモコン（５）を持ち換えることなく、一つのリモコンを用いて、複数の映像機器を連携操作することができる。
【０１４７】
本発明の態様３に係る映像機器（１００）は、上記の態様１において、上記制御部（１１０）は、上記ユーザの操作が、上記他の映像機器に格納されたコンテンツの閲覧に関する操作である場合に、当該他の映像機器に対して、当該他の映像機器に格納されたコンテンツの閲覧に関する制御情報を送信する構成としてもよい。
【０１４８】
上記の構成によれば、ユーザは、リモコンを持ち換えることなく、映像機器と、他の映像機器とに格納されたコンテンツを閲覧することができ、一つのリモコンを用いて、複数の映像機器を連携操作することができる。
【０１４９】
本発明の態様４に係る映像機器（１００）は、上記の態様１から３において、上記制御部は、上記表示装置に対して、上記コンテンツの取得元を上記他の映像機器に切り換える旨の制御情報を送信する構成としてもよい。
【０１５０】
上記の構成によれば、ユーザは、リモコンを持ち換えることなく、一つのリモコンを用いて、複数の映像機器を連携操作することができる。
【０１５１】
本発明の態様５に係る映像機器（１００）は、上記の態様４において、上記制御部（１１０）は、上記表示装置（１０）より、上記コンテンツの取得元を上記他の映像機器に切り換えた旨の制御情報を受信した場合に、当該映像機器に対する上記ユーザの操作を示す操作信号の受付を停止する構成としてもよい。
【０１５２】
上記の構成によれば、ユーザは、リモコンを持ち換えることなく、一つのリモコンを用いて、複数の映像機器を連携操作することができる。
【０１５３】
本発明の態様６に係る映像機器は、上記の態様１から５において、上記制御部は、上記操作信号に含まれる操作が、当該映像機器において実行することのできない操作である場合に、上記他の映像機器に対して、当該他の映像機器を制御するための制御情報を送信する構成としてもよい。
【０１５４】
上記の構成によれば、映像機器は、ユーザからの操作入力に起因する動作が、当該映像機器において実行することのできない操作であっても、当該動作を他の映像機器に実行させるための制御情報を他の映像機器に送信するため、ユーザは、一つのリモコンを用いて、複数の映像機器を連携操作することができる。
【０１５５】
本発明の態様７に係る映像機器は、上記の態様６において、上記制御部は、上記操作信号に含まれる操作が、当該映像機器において実行することのできない操作である場合に、１又は複数の上記他の映像機器に対して、上記操作信号に含まれる操作が実行可能であるかの問い合わせ送信し、当該問い合わせに対する１又は複数の上記他の映像機器からの通知に応じて、上記制御情報を送信する上記他の映像機器を選択する構成としてもよい。
【０１５６】
上記の構成によれば、複数の映像機器が表示装置に接続されていても、ユーザからの操作入力に起因する動作が、当該映像機器において実行することのできない操作である場合には、映像機器は、複数の他の映像機器に当該動作が実行可能であるかを問い合わせるため、ユーザは、一つのリモコンを用いて、複数の映像機器を連携操作することができる。
【０１５７】
本発明の態様８に係る映像機器は、上記の態様１から７において、上記制御部は、ユーザからの操作入力に起因して、所定の規格に基づくコマンドを使用して、上記表示装置に接続された他の映像機器に対して、上記制御情報を送信する構成としてもよい。
【０１５８】
上記の構成によれば、所定の規格に基づくコマンドを使用して、複数の映像機器を連携操作することができるため、表示装置（１０）が接続されている複数の映像機器の情報を管理する機能を備えていなくて、簡単な構成で、複数の映像機器を連携させることができる。
【０１５９】
本発明の態様９に係る映像機器（１００）は、表示装置（１０）に接続される映像機器であって、入出力部と、制御部（１１０）とを備え、上記制御部（１１０）は、ユーザからの操作入力に起因して、上記表示装置（１００）に内蔵された録画再生部に対して、当該録画再生部を制御するための制御情報であって、ユーザにより操作される主体を、当該映像機器から上記録画再生部に移行させるための制御情報を送信する構成である。
【０１６０】
上記の構成によれば、ユーザからの操作入力を受け付ける一つのリモコンを用いて、表示装置に内蔵された録画再生部に対して制御情報を送ることができ、複数の映像機器を連携操作することができる。
【０１６１】
本発明の態様１０に係る映像機器（１００）は、表示装置（１０）に接続される映像機器であって入出力部と、制御部（１１０）とを備え、上記制御部（１１０）は、上記表示装置（１０）より、上記コンテンツの取得元を当該映像機器に切り換えた旨の制御情報を受信した場合に、当該映像機器に対する上記ユーザの操作を示す操作信号の受付を開始する構成である。
【０１６２】
上記の構成によれば、複数の映像機器を連携操作することができる。
【０１６３】
本発明の各態様に係る制御部１１０は、コンピュータによって実現してもよく、この場合には、コンピュータを上記制御部１１０として動作させることにより上記制御部１１０をコンピュータにて実現させる制御プログラム、およびそれを記録したコンピュータ読み取り可能な記録媒体も、本発明の範疇に入る。
【０１６４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１６５】
１  映像システム
１０  表示装置
３０  表示部
１１０  制御部
１３（１３Ａ、１３Ｂ）  映像音声受信部
１５  入力切換部
５０  リモコン
１００（１００Ａ，１００Ｂ）  記録再生装置
１０３  映像音声送信部
１２０  受信部
【図１】
2019149716.tif 000003
【図２】
2019149716.tif 000004
【図３】
2019149716.tif 000005
【図４】
2019149716.tif 000006
【図５】
2019149716.tif 000007
【図６】
2019149716.tif 000008
【図７】
2019149716.tif 000009
【図８】
2019149716.tif 000010
【図９】
2019149716.tif 000011
【図１０】
2019149716.tif 000012
【図１１】
2019149716.tif 000013
【図１２】
2019149716.tif 000014
【図１３】
2019149716.tif 000015
【図１４】
2019149716.tif 000016
【図１５】
2019149716.tif 000017
【図１６】
2019149716.tif 000018